(57)【要約】【課題】  電子機器のメインシステムの開発負担を軽減し操作画面のカスタマイズを行い易くする。【解決手段】  電子機器１のメインシステムは、１または複数のＡＰＩで前段システム１１から指令を受け付ける。前段システム１１は、そのＡＰＩに対応するＵＩパーツを記憶している記憶装置２２と、ＵＩパーツによるユーザーインターフェイスを有する操作画面の操作画面データ３５をホスト装置３へ送信する通信処理部４１と、操作画面におけるユーザーインターフェイスに対するユーザー操作についてホスト装置３から通信処理部４１により受信されるユーザー操作情報に対応する指令を、そのユーザーインターフェイスに対応するＡＰＩでメインシステムへ出力するシステム制御部４２とを有する。【選択図】  図２
2012248143.tif 000002
【特許請求の範囲】
【請求項１】
ユーザーに対して操作画面を表示するホスト装置との通信を行う前段システムと、
前記前段システムからの指令に応じて動作するメインシステムとを備え、
前記メインシステムは、１または複数のアプリケーションプログラムインターフェイスで前記前段システムから前記指令を受け付け、
前記前段システムは、前記アプリケーションプログラムインターフェイスに対応するユーザーインターフェイスパーツを記憶している記憶装置と、
前記ユーザーインターフェイスパーツによるユーザーインターフェイスを有する操作画面の操作画面データを前記ホスト装置へ送信する通信処理部と、
前記操作画面における前記ユーザーインターフェイスに対するユーザー操作について前記ホスト装置から前記通信処理部により受信されるユーザー操作情報に対応する前記指令を、そのユーザーインターフェイスに対応する前記アプリケーションプログラムインターフェイスで前記メインシステムへ出力するシステム制御部と、
を有することを特徴とする電子機器。
【請求項２】
前記操作画面データは、前記ホスト装置から前記通信処理部により受信されるユーザー操作情報に基づき選択された前記ユーザーインターフェイスパーツを有することを特徴とする請求項１記載の電子機器。
【請求項３】
前記記憶装置は、１つの前記アプリケーションプログラムインターフェイスに対応する複数のユーザーインターフェイスパーツを記憶しており、
前記操作画面データは、前記ホスト装置から前記通信処理部により受信されるユーザー操作情報に基づき、前記複数のユーザーインターフェイスパーツから選択された前記ユーザーインターフェイスパーツを有すること、
を特徴とする請求項１記載の電子機器。
【請求項４】
前記メインシステムは、当該メインシステムの省エネ設定のアプリケーションプログラムインターフェイスで前記前段システムから前記省エネ設定の指令を受け付け、
前記前段システムの通信処理部は、前記省エネ設定のアプリケーションプログラムインターフェイスに対応する前記ユーザーインターフェイスパーツを含む前記操作画面データを前記ホスト装置へ送信し、その操作画面データに基づく前記操作画面における前記ユーザーインターフェイスに対するユーザー操作についてのユーザー操作情報を受信し、
前記前段システムのシステム制御部は、前記通信処理部により受信された前記ユーザー操作情報に対応する前記省エネ設定の指令を、前記省エネ設定のアプリケーションプログラムインターフェイスで前記メインシステムへ出力すること、
を特徴とする請求項１から請求項３のうちのいずれか１項記載の電子機器。
【請求項５】
前記記憶装置は、ユーザーにより選択可能な複数のテンプレートを含むテンプレートデータを記憶しており、
前記通信処理部は、ユーザーにより選択されたテンプレートを、そのユーザーについてのデフォルトの前記操作画面データとすること、
を特徴とする請求項１から請求項４のうちのいずれか１項記載の電子機器。
【請求項６】
前記ホスト装置は、ウェブブラウザーで前記操作画面を表示し、
前記操作画面データは、ウェブページデータであり、
前記通信処理部は、ウェブサーバーを有すること、
を特徴とする請求項１から請求項５のうちのいずれか１項記載の電子機器。
【請求項７】
ユーザーに対して操作画面を表示するホスト装置との通信を行う前段システムと、前記前段システムからの指令に応じて動作するメインシステムとを備える電子機器であって、前記メインシステムは、１または複数のアプリケーションプログラムインターフェイスで前記前段システムから前記指令を受け付ける前記前段システムは、前記アプリケーションプログラムインターフェイスに対応するユーザーインターフェイスパーツを記憶している記憶装置を有する前記電子機器における前記前段システムに内蔵されたコンピューターを、
前記ユーザーインターフェイスパーツによるユーザーインターフェイスを有する操作画面の操作画面データを前記ホスト装置へ送信する通信処理部、および
前記操作画面における前記ユーザーインターフェイスに対するユーザー操作について前記ホスト装置から前記通信処理部により受信されるユーザー操作情報に対応する前記指令を、そのユーザーインターフェイスに対応する前記アプリケーションプログラムインターフェイスで前記メインシステムへ出力するシステム制御部
として機能させる制御プログラム。
【発明の詳細な説明】
【技術分野】
【０００１】
本発明は、電子機器および制御プログラムに関するものである。
【背景技術】
【０００２】
ある印刷装置では、印刷を行う印刷部の前段に設けられたネットワークカード部がホスト装置との通信を行う（例えば特許文献１参照）。
【０００３】
特許文献１に記載の印刷装置では、機種に依存しないウェブコンテンツはネットワークカード部に格納されており、機種に依存するウェブコンテンツは印刷部に格納されており、ネットワークカード部は、機種に依存するウェブコンテンツをホスト装置に要求された場合には、印刷部からウェブコンテンツを取得してホスト装置へ送信し、機種に依存しないウェブコンテンツをホスト装置に要求された場合には、ネットワークカード部内のウェブコンテンツをホスト装置へ送信する。
【先行技術文献】
【特許文献】
【０００４】
【特許文献１】特開２００２−２５９０７５号公報
【発明の概要】
【発明が解決しようとする課題】
【０００５】
上述の印刷装置では、機種に依存するウェブコンテンツが印刷部に格納されているため、そのウェブコンテンツに基づく操作画面に対するユーザー操作に基づいて印刷部を制御する場合、機種ごとに操作画面を設計する必要があるとともに、その操作画面に対するユーザー操作の情報を解釈し、そのユーザー操作に対応する動作を行うように印刷部を設計する必要がある。このため、印刷部の開発負担が大きいとともに、機種依存の印刷部内部にウェブコンテンツがあるため操作画面のカスタマイズを行いにくくユーザーの利便性が低くなってしまう。
【０００６】
本発明は、上記の問題に鑑みてなされたものであり、上述の印刷部のように電子機器のメインシステムの開発負担を軽減し操作画面のカスタマイズを行い易くする電子機器および制御プログラムを得ることを目的とする。
【課題を解決するための手段】
【０００７】
上記の課題を解決するために、本発明では以下のようにした。
【０００８】
本発明に係る電子機器は、ユーザーに対して操作画面を表示するホスト装置との通信を行う前段システムと、前段システムからの指令に応じて動作するメインシステムとを備える。メインシステムは、１または複数のアプリケーションプログラムインターフェイス（以下、ＡＰＩという）で前段システムから指令を受け付ける。そして、前段システムは、ＡＰＩに対応するユーザーインターフェイスパーツ（以下、ＵＩパーツという）を記憶している記憶装置と、ＵＩパーツによるユーザーインターフェイスを有する操作画面の操作画面データをホスト装置へ送信する通信処理部と、操作画面におけるユーザーインターフェイスに対するユーザー操作についてホスト装置から通信処理部により受信されるユーザー操作情報に対応する指令を、そのユーザーインターフェイスに対応するＡＰＩでメインシステムへ出力するシステム制御部とを有する。
【０００９】
これにより、各動作に対応するＡＰＩをメインシステムから前段システムへ公開しておくだけでよくユーザーインターフェイス部分の処理はすべて前段システムが行うため、電子機器のメインシステムの開発負担が軽減され、操作画面のカスタマイズが行い易くなる。
【００１０】
また、本発明に係る電子機器は、上記の電子機器に加え、次のようにしてもよい。この場合、操作画面データは、ホスト装置から通信処理部により受信されるユーザー操作情報に基づき選択されたＵＩパーツを有する。
【００１１】
これにより、ユーザーは、自己の使用する操作画面をカスタマイズすることができる。
【００１２】
また、本発明に係る電子機器は、上記の電子機器に加え、次のようにしてもよい。この場合、記憶装置は、１つのＡＰＩに対応する複数のＵＩパーツを記憶しており、操作画面データは、ホスト装置から通信処理部により受信されるユーザー操作情報に基づき、複数のＵＩパーツから選択されたＵＩパーツを有する。
【００１３】
これにより、ユーザーは、自己の使用する操作画面をカスタマイズすることができるとともに、電子機器のある１つの機能について用意されている複数のユーザーインターフェイスから、ユーザーの所望するユーザーインターフェイスを選択して使用することができる。
【００１４】
また、本発明に係る電子機器は、上記の電子機器に加え、次のようにしてもよい。この場合、メインシステムは、当該メインシステムの省エネ設定のＡＰＩで前段システムから省エネ設定の指令を受け付ける。そして、前段システムの通信処理部は、省エネ設定のＡＰＩに対応するＵＩパーツを含む操作画面データをホスト装置へ送信し、その操作画面データに基づく操作画面におけるユーザーインターフェイスに対するユーザー操作についてユーザー操作情報を受信し、前段システムのシステム制御部は、通信処理部により受信されたユーザー操作情報に対応する省エネ設定の指令を、省エネ設定のＡＰＩでメインシステムへ出力する。
【００１５】
これにより、省エネモードを有する電子機器のメインシステムの開発負担が軽減され、省エネモードの操作画面のカスタマイズが行い易くなる。
【００１６】
また、本発明に係る電子機器は、上記の電子機器に加え、次のようにしてもよい。この場合、記憶装置は、ユーザーにより選択可能な複数のテンプレートを含むテンプレートデータを記憶しており、通信処理部は、ユーザーにより選択されたテンプレートを、そのユーザーについてのデフォルトの操作画面データとする。
【００１７】
これにより、ユーザーは、テンプレートをまず選択することで、操作画面をユーザー所望のものにカスタマイズし易くなる。
【００１８】
また、本発明に係る電子機器は、上記の電子機器に加え、次のようにしてもよい。この場合、ホスト装置は、ウェブブラウザーで操作画面を表示する。そして、操作画面データは、ウェブページデータであり、通信処理部は、ウェブサーバーを有する。
【００１９】
本発明に係る制御プログラムは、電子機器における前段システムに内蔵されたコンピューターを、（ａ）ＵＩパーツによるユーザーインターフェイスを有する操作画面の操作画面データをホスト装置へ送信する通信処理部、および（ｂ）操作画面におけるユーザーインターフェイスに対するユーザー操作についてホスト装置から通信処理部により受信されるユーザー操作情報に対応する指令を、そのユーザーインターフェイスに対応するＡＰＩでメインシステムへ出力するシステム制御部として機能させる。
【００２０】
これにより、各動作に対応するＡＰＩをメインシステムから前段システムへ公開しておくだけでよくユーザーインターフェイス部分の処理はこの制御プログラムに従って前段システムが行うため、電子機器のメインシステムの開発負担が軽減され、操作画面のカスタマイズが行い易くなる。
【発明の効果】
【００２１】
本発明によれば、電子機器のメインシステムの開発負担を軽減し操作画面のカスタマイズを行い易くすることができる。
【図面の簡単な説明】
【００２２】
【図１】図１は、本発明の実施の形態に係る電子機器の構成を示すブロック図である。
【図２】図２は、図１における前段システムの構成を示すブロック図である。
【図３】図３は、図１におけるメインシステムが公開しているＡＰＩと前段システムにおけるＵＩパーツとの関係性を説明する図である。
【図４】図４は、図１におけるホスト装置で表示される操作画面の一例を示す図である。
【図５】図５は、図４に示す操作画面におけるＵＩパーツリストの表示例を示す図である。
【図６】図６は、図４に示す操作画面におけるＵＩパーツリストのバリエーションの表示例を示す図である。
【図７】図７は、図４に示す操作画面に省エネ設定のユーザーインターフェイスが追加された操作画面の一例を示す図である。
【発明を実施するための形態】
【００２３】
以下、図に基づいて本発明の実施の形態を説明する。
【００２４】
図１は、本発明の実施の形態に係る電子機器の構成を示すブロック図である。
【００２５】
図１に示すように、電子機器１はＬＡＮ（Local Area Network）などのネットワーク２に接続され、ネットワーク２にはホスト装置３が接続されている。ホスト装置３は、ウェブブラウザーがインストールされているパーソナルコンピューターである。ホスト装置３は、ウェブブラウザーで、ユーザーに対して電子機器１の操作画面を表示するとともに、その操作画面に対するユーザー操作の情報を、ネットワーク２を介して電子機器１へ送信する。
【００２６】
電子機器１は、ホスト装置３との通信を行う前段システム１１と、前段システム１１からの指令に応じて動作するメインシステム１２とを備える。前段システム１１とメインシステム１２とは所定のインターフェイス１１ａ，１２ａで接続されている。
【００２７】
メインシステム１２は、組込システムであって、この電子機器１の機能を実現する部分である。電子機器１が複合機である場合には、メインシステム１２は、印刷機構を制御するプリントエンジン、画像読取機構を制御するスキャナーエンジン、画像処理部、ジョブ管理部などを有する。メインシステム１２は、インターフェイス１１ａ，１２ａを介して１または複数のＡＰＩで前段システム１１から指令を受け付ける。
【００２８】
図２は、図１における前段システム１１の構成を示すブロック図である。
【００２９】
図２に示すように、前段システム１１は、インターフェイス１１ａ、通信装置２１、記憶装置２２、および演算処理装置２３を有する。
【００３０】
通信装置２１は、ネットワーク２を介してデータ通信可能なネットワークインターフェイスカードである。
【００３１】
記憶装置２２は、データおよびプログラムを記憶している不揮発性メモリーなどといった不揮発性の記憶装置である。記憶装置２２は、制御プログラム３１、ＵＩパーツデータ３２、テンプレートデータ３３、ＵＩ設定データ３４、および操作画面データ３５を記憶している。
【００３２】
制御プログラム３１は、演算処理装置２３において後述の処理部を実現するためのプログラムである。ＵＩパーツデータ３２は、上述のＡＰＩに対応するＵＩパーツを含む。テンプレートデータ３３は、操作画面について、ユーザーにより選択可能な複数のテンプレートを含む。ＵＩ設定データ３４は、ユーザーにより操作画面がカスタマイズされた場合にその操作画面の設定情報を含む。
【００３３】
操作画面データ３５は、ホスト装置３において表示される操作画面のためのデータである。その操作画面は、上述のＵＩパーツによるユーザーインターフェイスを有する。操作画面データ３５は、ユーザーによりカスタマイズ可能であって、ホスト装置３から後述の通信処理部４１により受信されるユーザー操作情報に基づき選択されたＵＩパーツを有する。この実施の形態では、操作画面データ３５は、ＨＴＭＬ（Hypertext Markup Language）データ、画像データ、ＪａｖａＳｃｒｉｐｔデータなどを含むウェブページデータである。また、ＵＩパーツも、ＨＴＭＬデータ、画像データ、ＪａｖａＳｃｒｉｐｔデータなどで構成される。
【００３４】
また、この実施の形態では、通信処理部４１により受信されたユーザー操作情報に基づいて、テンプレートデータ３３に含まれる複数のテンプレートからユーザーにより選択されたものが、そのユーザーについてのデフォルトの操作画面データ３５とされる。つまり、テンプレートをカスタマイズすることで、ユーザーは、自己の所望する操作画面を簡単に実現することができる。テンプレートデータ３３に含まれる複数のテンプレートは、省エネ重視型、セキュリティ重視型、管理者向けなど、様々な用地に応じたものとされる。
【００３５】
また、この実施の形態では、ＵＩパーツデータ３２には、１つのＡＰＩに対応する複数のＵＩパーツが含まれており、操作画面データ３５は、ホスト装置３から後述の通信処理部４１により受信されるユーザー操作情報に基づき、複数のＵＩパーツから選択されたＵＩパーツを有する。
【００３６】
図３は、図１におけるメインシステム１２が公開しているＡＰＩと前段システム１１におけるＵＩパーツとの関係性を説明する図である。メインシステム１２は、複数のＡＰＩ６１〜６Ｎを有しており、前段システム１１におけるＵＩパーツデータ３２には、各ＡＰＩ６ｉ（ｉ＝１，・・・，Ｎ）に対応する１または複数のＵＩパーツが含まれている。図３では、例えば、ＡＰＩ６１には、対応する３つのＵＩパーツ７１−１〜７１−３があり、ＡＰＩ６２には、対応する２つのＵＩパーツ７２−１，７２−２があり、ＡＰＩ６Ｎには、対応する１つのＵＩパーツ７Ｎがある。
【００３７】
演算処理装置２３は、ＣＰＵ（Central Processing Unit）、ＲＯＭ（Read Only Memory）、ＲＡＭ（Random Access Memory）などを有するコンピューターであって、記憶装置２２、ＲＯＭなどからプログラムをＲＡＭへロードして実行し、各種処理部を実現する。演算処理装置２３では、制御プログラム３１により、通信処理部４１およびシステム制御部４２が実現される。
【００３８】
通信処理部４１は、通信装置２１を使用して上位プロトコルでホスト装置３と通信する。この実施の形態では、通信処理部４１は、ウェブサーバー４１ａを有し、ＨＴＴＰ（Hypertext Transfer Protocol）でホスト装置３のウェブブラウザーと通信し、操作画面データ３５をホスト装置３へ送信するとともに、操作画面データ３５に基づき表示された操作画面に対するユーザー操作の情報をホスト装置３から受信する。
【００３９】
システム制御部４２は、ホスト装置３から通信処理部４１により受信されるユーザー操作情報に対応する指令を、操作画面でそのユーザー操作があったユーザーインターフェイス（つまり、ＵＩパーツ）に対応するＡＰＩでメインシステム１２へ出力する。
【００４０】
次に、上記電子機器１の動作について説明する。
【００４１】
ホスト装置３のウェブブラウザーは、電子機器１のＵＲＬ（Uniform Resource Locator）を指定して、操作画面データ３５の送信要求を送信する。電子機器１のウェブサーバー４１ａは、その送信要求を受信すると、送信要求で指定された操作画面データ３５におけるトップページのウェブページデータを記憶装置２２から読み出し、ホスト装置３のウェブブラウザーへ送信する。ホスト装置３のウェブブラウザーは、そのウェブページデータを受信すると、そのウェブページデータに基づき操作画面のトップページを表示する。
【００４２】
図４は、図１におけるホスト装置３で表示される操作画面の一例を示す図である。
【００４３】
図４に示す操作画面のトップページは、電子機器１にジョブを実行させるインターフェイスを表示させるための「ジョブ」ボタン８１、および電子機器１の設定を変更させるインターフェイスを表示させるための「設定」ボタン８２を有する。以下、操作画面に対してユーザー操作（クリック操作など）があると、ホスト装置３のウェブブラウザーは、そのユーザー操作情報を電気機器１のウェブサーバー４１ａへ送信し、電気機器１のウェブサーバー４１ａは、ＵＩパーツデータ３２、ＵＩ設定データ３４、および操作画面データ３５から、そのユーザー操作情報により指定されるデータを読み出し、ホスト装置３のウェブブラウザーへ送信する。ホスト装置３のウェブブラウザーは、そのデータに基づいて操作画面を遷移させる。
【００４４】
図４に示すトップページにおける「設定」ボタン８２が操作されると、図４に示すように、左カラムに、設定項目ボタン９１のリストと、ユーザーインターフェイスをカスタマイズするための「ＵＩ変更」ボタン９２が表示される。そして、設定項目ボタン９１が操作されると、右カラムに、その設定項目ボタン９１に対応する設定項目のユーザーインターフェイスが表示される。
【００４５】
また、「ＵＩ変更」ボタン９２が操作されると、右カラムに、追加可能なＵＩパーツのリストが選択ボタンのリストとして表示される。図５は、図４に示す操作画面におけるＵＩパーツリストの表示例を示す図である。図５に示す操作画面では、ＵＩパーツリストに、省エネ設定のＵＩパーツの選択ボタン１０１が含まれている。また、「ＵＩ削除」ボタン１０２が表示される。
【００４６】
ＵＩパーツの選択ボタン１０１が操作されると、右カラムに、選択されたＵＩパーツの見本画像のリストが表示される。
【００４７】
例えば、省エネ設定のＵＩパーツの選択ボタン１０１が操作されると、右カラムに、省エネ設定のＵＩパーツの見本画像のリストが表示される。図６は、図４に示す操作画面におけるＵＩパーツリストのバリエーションの表示例を示す図である。省エネ設定のＵＩパーツが、ＵＩパーツデータ３２内に３つ存在する場合、図６に示すような見本画像１１１のリストが表示される。なお、各ＵＩパーツの見本画像の画像データは、ＵＩパーツデータ３２に含まれている。
【００４８】
そして、省エネ設定のＵＩパーツの見本画像１１１のリストにおいて、１つのＵＩパーツが選択され、登録ボタン１１２が操作されると、そのＵＩパーツが操作画面に追加される。このとき、そのＵＩパーツの識別情報（名称、ＩＤなど）がＵＩ設定データ３４として記憶される。
【００４９】
ＵＩパーツが追加されると、そのＵＩパーツに対応する設定項目ボタンが追加される。
【００５０】
図７は、図４に示す操作画面に省エネ設定のユーザーインターフェイスが追加された操作画面の一例を示す図である。例えば、上述のように、省エネ設定のＵＩパーツが追加されると、通信処理部４１により操作画面データ３５が更新され、図７に示すように、省エネ設定の設定項目ボタン１２１が追加される。そして、その省エネ設定の設定項目ボタン１２１が操作されると、図７に示すように、右カラムに、省エネ設定のユーザーインターフェイスが表示される。
【００５１】
以後、前段システム１１のウェブサーバー４１ａは、省エネ設定のＡＰＩに対応するＵＩパーツを含む操作画面データ３５をホスト装置３へ送信し、その操作画面データ３５に基づく操作画面におけるユーザーインターフェイスに対するユーザー操作についてのユーザー操作情報を受信し、前段システム１１のシステム制御部４２は、ウェブサーバー４１ａにより受信されたユーザー操作情報に対応する省エネ設定の指令を、省エネ設定のＡＰＩでメインシステム１２へ出力する。
【００５２】
このようにして、メインシステム１２のＡＰＩに対応するＵＩパーツによるユーザーインターフェイスが操作画面に追加される。
【００５３】
なお、図５に示す「ＵＩ削除」ボタン１０２が操作されると、ＵＩ設定データ３４を参照して、操作画面データ３５内で使用されているＵＩパーツが特定され、追加されたＵＩパーツのリストが操作画面に表示され、そのリストからＵＩパーツが選択されると、ＵＩ設定データ３４および操作画面データ３５が更新され、そのＵＩパーツが削除される。
【００５４】
以上のように、上記実施の形態によれば、電子機器１のメインシステム１２は、１または複数のＡＰＩで前段システム１１から指令を受け付ける。前段システム１１は、そのＡＰＩに対応するＵＩパーツを記憶している記憶装置２２と、ＵＩパーツによるユーザーインターフェイスを有する操作画面の操作画面データ３５をホスト装置３へ送信する通信処理部４１と、操作画面におけるユーザーインターフェイスに対するユーザー操作についてホスト装置３から通信処理部４１により受信されるユーザー操作情報に対応する指令を、そのユーザーインターフェイスに対応するＡＰＩでメインシステム１２へ出力するシステム制御部４２とを有する。
【００５５】
これにより、各動作に対応するＡＰＩをメインシステム１２から前段システム１１へ公開しておくだけでよくユーザーインターフェイス部分の処理はすべて前段システム１１が行うため、電子機器１のメインシステム１２の開発負担が軽減され、操作画面のカスタマイズが行い易くなる。
【００５６】
なお、上述の実施の形態は、本発明の好適な例であるが、本発明は、これらに限定されるものではなく、本発明の要旨を逸脱しない範囲において、種々の変形、変更が可能である。
【００５７】
例えば、上記実施の形態において、電子機器１とホスト装置３とは、ネットワーク２ではなく、ＵＳＢ（Universal Serial Bus）などの周辺機器インターフェイスで接続されてもよい。
【産業上の利用可能性】
【００５８】
本発明は、例えば、プリンター、複合機などの画像形成装置に適用可能である。
【符号の説明】
【００５９】
１  電子機器
３  ホスト装置
１１  前段システム
１２  メインシステム
２２  記憶装置
２３  演算処理装置（コンピューターの一例）
３１  制御プログラム
３３  テンプレートデータ
３５  操作画面データ
４１  通信処理部
４１ａ  ウェブサーバー
４２  システム制御部
６１〜６Ｎ  アプリケーションプログラムインターフェイス
７１−１〜７１−３，７２−１，７２−２，７Ｎ  ユーザーインターフェイスパーツ
【図１】
2012248143.tif 000003
【図２】
2012248143.tif 000004
【図３】
2012248143.tif 000005
【図４】
2012248143.tif 000006
【図５】
2012248143.tif 000007
【図６】
2012248143.tif 000008
【図７】
2012248143.tif 000009